(57)【要約】【課題】処理の迅速化、異臭防止および処理コストの低減を可能とする有機廃棄物処理方法および有機廃棄物処理装置を提供すること。【解決手段】アメリカミズアブの幼虫とシマミミズを飼育する幼虫飼育床５と、幼虫飼育床５上部の筐体１内壁にめぐらされたさなぎ返し４と、幼虫飼育床５上部の筐体１に設けられた有機廃棄物投入口３と、幼虫飼育床５上部でさなぎ返し４よりも下部に設けられ、筐体１内部からの幼虫あるいはさなぎの進入口（図示せず）を有するさなぎ収集箱６と、筐体１の最下部に設けられた処理残渣取り出し箱７とを有する有機廃棄物処理装置を構成し、この装置を用いて、有機廃棄物を、幼虫飼育床５中のアメリカミズアブの幼虫とシマミミズの食餌として、有機廃棄物投入口３から投入し、該有機廃棄物を処理する有機廃棄物処理方法を構成する。【選択図】    図１
2004181379.tif 000002
【特許請求の範囲】
【請求項１】
アブの幼虫を飼育し、有機廃棄物を該アブの幼虫に食餌として与えることを特徴とする有機廃棄物処理方法。
【請求項２】
アブの幼虫を飼育する幼虫飼育床を有することを特徴とする有機廃棄物処理装置。
【発明の詳細な説明】
【０００１】
【発明の属する技術分野】
本発明は有機廃棄物処理方法および有機廃棄物処理装置に関するものである。
【０００２】
【従来の技術】
【特許文献１】特開２０００−０７０９１０号公報
【特許文献２】特開２００１−２８６８４９号公報
従来、有機廃棄物処理方法および有機廃棄物処理装置として、微生物を含む生物を利用する方法および装置が知られている。
【０００３】
たとえば、上記特許文献１に記載されているように、微生物を利用して、有機廃棄物である生ゴミの処理を行う生ゴミ処理方法および生ゴミ処理装置が知られている。また、上記特許文献２に記載されているように、ミミズを利用して、有機廃棄物である生ゴミの処理を行う生ゴミ処理装置が知られている。
【０００４】
【発明が解決しようとする課題】
しかしながら、上記生ゴミ処理方法および生ゴミ処理装置には、生ゴミ処理の時間が長い、処理中に異臭が発生する、特に微生物を利用する場合には生ゴミを撹拌するためのエネルギーを消費し、しかもその際に騒音が発生する、などの問題点がある。
【０００５】
本発明の目的は、上記問題を解決し、処理の迅速化、異臭防止および処理コストの低減を可能とする有機廃棄物処理方法および有機廃棄物処理装置を提供することにある。
【０００６】
【課題を解決するための手段】
上記課題を解決するために、本発明は、請求項１に記載したように、
アブの幼虫を飼育し、有機廃棄物を該アブの幼虫に食餌として与えることを特徴とする有機廃棄物処理方法を構成する。
【０００７】
また、本発明は、請求項２に記載したように、
アブの幼虫を飼育する幼虫飼育床を有することを特徴とする有機廃棄物処理装置を構成する。
【０００８】
【発明の実施の形態】
（実施の形態例１）
本発明に係る有機廃棄物処理方法の一実施の形態例を以下に説明する。
【０００９】
屋外の土壌地面に縦横各３０ｃｍ、深さ５０ｃｍの穴（以下、巣穴と呼ぶ）を堀り、巣穴の底部において、アメリカミズアブの幼虫を飼育する。飼育のための食餌としては、家庭で廃棄される生ゴミを用いることができる。
【００１０】
アメリカミズアブの幼虫が１ｍｍ以下の体長から１８ｍｍの体長にまで成長するのに要する時間は２〜３週間であり、非常に成長が早い。成長過程において、幼虫は生ゴミを良く食し、食した生ゴミの体積よりも著しく少ない体積量の糞を排泄する。したがって、巣穴でアメリカミズアブの幼虫を飼育し、有機廃棄物である生ゴミをその幼虫に食餌として与えることによって生ゴミの迅速な処理を行うことができる。
【００１１】
アメリカミズアブの幼虫は、生ゴミは勿論、落ち葉および紙などの有機物も食するため、有機物である新聞紙、包装紙等も併せて巣穴に投入し処理することもできる。特に、新聞紙を水平に重ねて与えておくと、表面の１枚は必ず食べずに残すので、幼虫の姿はその１枚に隠れて見えず、見た目に不快感を与えることがない。
【００１２】
アメリカミズアブの幼虫は成長が早く、２〜３週間以内にはさなぎとなり、その後、羽化して成虫となってしまうので、巣穴への幼虫の補給が必要となるが、本実施の形態例におけるように、屋外の開放式巣穴で幼虫を飼育し、有機廃棄物を処理する場合には、巣穴で羽化した成虫が巣穴から離れ、巣穴外で花の蜜を吸う等の生活をした後に、その一部は巣穴に戻って次代の卵を産み、その卵が孵化して幼虫となるので、幼虫を補給するための対策は必要でない。
【００１３】
４人家族の生ゴミ発生量は、５ｋｇ／日程度であり、これを１日以内に処理するためには、上記の巣穴に２〜３千匹程度の幼虫を飼育しているだけで十分である。
【００１４】
また、幼虫は獣肉、魚介類、特に魚類の内蔵を好んで食するので、それらの食餌が腐敗する前に幼虫が食べてしまい、悪臭を発生することがない。
【００１５】
上記の巣穴にシマミミズを併せて飼育すると、シマミミズは生ゴミとアメリカミズアブの幼虫の糞との両方を食するので、生ゴミ処理の能率が向上し、処理による体積減少率も向上（減少を正としたときに増大）する。
【００１６】
本実施の形態例において、生ゴミ以外の有機廃棄物、たとえば豆腐製造の際に生じる大豆の搾りかす等を処理することが可能である。
【００１７】
本実施の形態例においては、微生物利用生ゴミ処理の場合に必要であった撹拌がまったく不要であり、撹拌のための電力が不要であり、撹拌に伴う騒音も発生しない。
【００１８】
（実施の形態例２）
本発明に係る有機廃棄物処理装置の一実施の形態例を図１に示す。図において１は装置の筐体であり、その一部分は網戸８となっている。筐体１の下部にはアメリカミズアブの幼虫およびシマミミズを飼育する幼虫飼育床５があり、幼虫飼育床５上部の筐体１内壁にはひさし状のさなぎ返し４が内壁をめぐるように設けられている。また、筐体１の天井からは成虫用餌台２が吊り下げられている。幼虫飼育床５上部の筐体１の側面上部には有機廃棄物投入口３があり、有機廃棄物投入口３は、有機廃棄物投入等、開口が必要な時以外は、懸垂式の蓋９によって閉じられている。幼虫飼育床５上部でさなぎ返し４よりも下部に位置する筐体１の側面外側には筐体１内部からの幼虫あるいはさなぎの進入口（図示せず）を有するさなぎ収集箱６が設けられている。筐体１の最下部には処理残渣取り出し箱７が設けられている。
【００１９】
本実施の形態例を用いて有機廃棄物の処理を行う方法を以下に説明する。
【００２０】
まず、幼虫飼育床５でアメリカミズアブの幼虫およびシマミミズを飼育する。最初に幼虫飼育床５を形成する方法としては、アメリカミズアブの卵が産み付けられている生ゴミと、シマミミズが生息している土壌とを混合して筐体１の底部に敷きつめ、アブの卵を孵化させる方法を用いてもよいし、すでにアメリカミズアブの幼虫およびシマミミズが生息している土壌を有機廃棄物と一緒に筐体１の底部に敷きつめる方法を用いてもよい。幼虫の数が有機廃棄物の処理を行うのに十分な数に達したならば、有機廃棄物投入口３の蓋９を開けて、生ゴミ等の有機廃棄物を装置内に投入する。
【００２１】
幼虫飼育床５中の幼虫は有機廃棄物を餌として成育し、さなぎになる時期が近づいた幼虫、あるいはさなぎへの変態中で運動能力があるものは筐体１の内壁を登るようになるが、さなぎ返し４よりも上には登ることができずに、最終的には、筐体１内部と通じているさなぎ収集箱６中に集まる。このようにして集まり、変態を終えたさなぎの一部を羽化させて成虫とし、装置内に戻し、残部のさなぎは魚類あるいは鳥類の餌等として利用する。装置内の成虫は成虫用餌台２に置かれた蜂蜜等の餌によって生活し、装置内の有機廃棄物に卵を産み、その卵が孵化して次代の幼虫となる。
【００２２】
処理前よりも著しく体積が減少した処理後の残渣は処理残渣取り出し箱７を装置から引き出すことによって、装置外に取り出される。この残渣は植物栽培用の肥料として利用することができる。
【００２３】
本実施の形態例を用いる有機廃棄物処理方法においても、生ゴミ以外の有機廃棄物、たとえば豆腐製造の際に生じる大豆の搾りかす等を処理することが可能である。
【００２４】
本実施の形態例においても、上記実施の形態例１と同様に、微生物利用生ゴミ処理の場合に必要であった撹拌がまったく不要であり、撹拌のための電力が不要であり、撹拌に伴う騒音も発生しない。
【００２５】
（実施の形態例３）
本発明に係る有機廃棄物処理装置の他の実施の形態例を図２に示す。図において、３は有機廃棄物投入口であり、４はさなぎ返しであり、５は幼虫飼育床であり、１０は処理残渣取り出し室であり、１１は処理残渣取り出し室１０への出入口であり、１２は有機廃棄物投入口３を塞ぐためのシャッタであり、１３は処理残渣取り出し室１０側に設けられたさなぎ収集箱（図示せず）へ通じるさなぎ収集箱入口である。
【００２６】
本実施の形態例を用いて有機廃棄物の処理を行う方法は、処理の規模が大きくなった点を除けば、上記実施の形態例２を用いて有機廃棄物の処理を行う方法と同様である。この場合には、処理の対象となる有機廃棄物は、たとえば、有機廃棄物１５としてトラック１４によって運ばれ、有機廃棄物投入口３から処理装置内に投入され、幼虫飼育床５中のアメリカミズアブの幼虫およびシマミミズによって処理される。処理後の残渣は処理残渣取り出し室１０および出入口１１を経て装置外部へ搬出される。
【００２７】
幼虫飼育床５中のアメリカミズアブの幼虫は有機廃棄物を餌として成育し、さなぎになる時期が近づいた幼虫、あるいはさなぎへの変態中で運動能力があるものはさなぎ収集箱入口１３からさなぎ収集箱（図示せず）に進入し、そこでさなぎとなる。このさなぎの一部を羽化させて成虫とし、幼虫飼育床５上方の装置内空間に戻し、残部のさなぎは魚類あるいは鳥類の餌等として利用する。装置内空間の成虫は成虫用餌（図示せず）によって生活し、装置内の有機廃棄物に卵を産み、その卵が孵化して次代の幼虫となる。
【００２８】
本実施の形態例を用いる有機廃棄物処理方法においても、生ゴミ以外の有機廃棄物、たとえば豆腐製造の際に生じる大豆の搾りかす等を処理することが可能である。
【００２９】
本実施の形態例においても、上記実施の形態例１および２と同様に、処理の迅速化が可能であり、悪臭が発生せず、撹拌のための電力が不要であり、撹拌に伴う騒音も発生しない。
【００３０】
なお、上記の各実施の形態例において、貝殻、プラスチック等の処理残留物は幼虫飼育床５の表面近くに残留するので、それの除去は容易である。
【００３１】
上記の各実施の形態例において、アメリカミズアブの幼虫に代えて、アメリカミズアブ以外の種類のアブの幼虫を用いることができる。その際に、幼虫の食性に応じて、複数の種類のアブの幼虫を併せて飼育してもよい。この場合に、植物系の有機廃棄物を好んで食餌とするアブの幼虫、たとえばシマハナアブの幼虫、コウカアブの幼虫、キイロコウカアブの幼虫等に併せて、動物系の有機廃棄物を好んで食餌とするアブの幼虫、たとえばメクラアブの幼虫、シロフアブの幼虫、ホソヒラタアブの幼虫等を飼育すれば、有機廃棄物を、植物系あるいは動物系に偏ることなく処理することができる。さらに、シマミミズ以外のミミズをシマミミズと併用または単独で利用してもよい。
【００３２】
【発明の効果】
本発明の実施により、処理の迅速化、異臭防止および処理コストの低減を可能とする有機廃棄物処理方法および有機廃棄物処理装置を提供することができる。
【図面の簡単な説明】
【図１】本発明に係る有機廃棄物処理装置の一実施の形態例を示す図である。
【図２】本発明に係る有機廃棄物処理装置の他の実施の形態例を示す図である。
【符号の説明】
１…筐体、２…成虫用餌台、３…有機廃棄物投入口、４…さなぎ返し、５…幼虫飼育床、６…さなぎ収集箱、７…処理残渣取り出し箱、８…網戸、９…蓋、１０…処理残渣取り出し室、１１…出入口、１２…シャッタ、１３…さなぎ収集箱入口、１４…トラック、１５…有機廃棄物。
【図１】
2004181379.tif 000003
【図２】
2004181379.tif 000004